(57)【要約】【課題】ソファ用クッション梱包物の小型化が図れ、これによりソファ用クッション梱包物の輸送時および保管時のスペースが小さくなり、梱包物の輸送コストおよび保管コストを削減可能なソファ用クッション梱包物を提供する。【解決手段】ソファ用クッション梱包物１０は、左，右側圧縮袋１８，１９に、それぞれ対応する左，右側座部クッション１４，１５と、左，右側背もたれ部クッション１６，１７とを収納し、これらを真空パックしたものである。この構成としたため、各クッション１４〜１７の嵩が減り、ソファ用クッション梱包物１０をコンパクトにすることができる。その結果、ソファ用クッション梱包物１０の輸送時および保管時のスペースが小さくなる。さらには、それに費やされる輸送コストおよび保管コストの削減も図れる。【選択図】図１
0003225716.tif 000002
【実用新案登録請求の範囲】
【請求項１】
ソファに使用されるソファ用クッションと、
該ソファ用クッションを、真空パックを含む圧縮状態で封入するための圧縮袋とを備えたソファ用クッション梱包物。
【請求項２】
前記ソファは、複数人掛け用の組立式ソファで、
前記ソファ用クッション梱包物は、前記ソファに掛ける人数分の一人分ソファ用クッション梱包物からなり、
前記圧縮袋は、前記ソファに掛ける人数分の一人分圧縮袋を有し、
前記ソファ用クッションは、それぞれが前記ソファに掛ける人数分の一人分座部クッションと一人分背もたれ部クッションとを少なくとも有し、
前記各一人分ソファ用クッション梱包物は、対応する一人分圧縮袋に、少なくとも、対応する一人分座部クッションと対応する一人分背もたれ部クッションとを、真空パックを含む圧縮状態で封入したものであることを特徴とする請求項１に記載のソファ用クッション梱包物。
【考案の詳細な説明】
【技術分野】
【０００１】
本考案は、例えば、組立式ソファ等に使用されるソファ用クッションを圧縮袋に収納し、これを圧縮状態で梱包したソファ用クッション梱包物に関する。
【背景技術】
【０００２】
従来、２人掛けまたは３人掛けの組立式ソファとして、例えば、非特許文献１のように、それぞれ人数分の長さを有する座部本体、座部クッション、および、背もたれ部クッション付きの背もたれ部本体と、左右一対のひじ掛け部と、複数本の支脚とを組み立て式にすることで、梱包物のサイズを小さくし、保管スペースのコンパクト化や、輸送コストの削減を図ったものが知られている。
【先行技術文献】
【特許文献】
【０００３】
【非特許文献１】［令和１年９月１日検索］、インターネット＜ＵＲＬ：ｈｔｔｐｓ：／／ｗｗｗ．ｆｉｘｍａｎｇｏｏｄｓ．ｘｙｚ／ｐｒｏｄｕｃｔｓ−４７８９５０．ｈｔｍｌ＞
【考案の開示】
【考案が解決しようとする課題】
【０００４】
しかしながら、非特許文献１の組立式ソファでは、座部本体、座部クッション、および、背もたれ部クッション付きの背もたれ部本体が、それぞれ人数分の長さを有する大型の部品であった。特に、嵩張り易い座部クッションや背もたれ部クッションを梱包する際には、これらの部品を個別に梱包せざるを得ず、その分、ソファ全体では梱包物の嵩が増して、輸送時や保管時のスペースが大きくなり、これらに費やすコストも高騰していた。
【０００５】
そこで、考案者は鋭意研究の結果、ソファ用クッションを圧縮袋に収納し、これを圧縮状態で梱包すれば、ソファ用クッションの嵩が減り、上述した課題はすべて解消されることを知見し、本考案を完成させた。
特に、複数人掛けの組立式ソファの場合、コンパクト化を図るため、長尺なソファを長さ方向へ複数分割することが行われているが、その際、ソファ用クッション梱包物を、ソファに掛ける人数分に分割した複数の一人分ソファ用クッション梱包物によって構成すれば、ソファ組立時に、左，右側等の各クッションの配置違いが発生しにくくなり、その分だけソファの組み立てが容易になり、組立時間も短縮することを知見し、本考案を完成させた。
【０００６】
本考案は、このような問題点に鑑みなされたもので、ソファ用クッション梱包物の小型化が図れ、その結果、これの輸送時および保管時のスペースが小さくなり、それに費やされる輸送コストおよび保管コストを削減できるソファ用クッション梱包物を提供することを目的としている。
また、本考案は、組立式ソファの組立時に、左，右側等の各クッションの配置違いの発生頻度を少なくすることができ、これにより、その分だけソファの組み立てが容易になり、組立時間も短縮可能なソファ用クッション梱包物を提供することを目的としている。
【課題を解決するための手段】
【０００７】
請求項１に記載の考案は、ソファに使用されるソファ用クッションと、該ソファ用クッションを、真空パックを含む圧縮状態で封入するための圧縮袋とを備えたソファ用クッション梱包物である。
【０００８】
ソファの種類、サイズ（使用人数）は任意である。
ソファ用クッションの種類は任意である。例えば、座部クッション、背もたれ部クッション、ひじ掛け部クッションなどを採用することができる。また、ソファ用クッションは、別の（新品の）クッションに取り換えるための交換用のものでもよい。
ソファ用クッションの形状、サイズは任意である。
【０００９】
圧縮袋の素材、種類としては、ソファ用クッションを、真空パックを含む圧縮状態で封入可能なものであれば任意である。例えば、密封可能なプラスチック袋を採用することができる。その他、プラスチック袋の開口部に密封チャックを取り付け、かつ真空吸引部に逆止弁を設けた再使用可能なタイプのものでもよい。
圧縮袋の使用枚数は、１枚でも２枚以上でもよい。１枚の圧縮袋に収納されるソファ用クッションの種類や個数などは任意である。
【００１０】
圧縮袋の形状、サイズは任意である。例えば、収納されるソファ用クッションに応じて適宜変更できる。
ここでいう「真空パックを含む圧縮状態で封入」とは、ソファ用クッションが圧縮袋に圧縮した状態（真空パックによる圧縮状態を含む）のままで封止されていることをいう。
ソファ用クッションの真空パックを含む圧縮形状は任意である。例えば、平板状またはロール状とすれば、ソファ用クッション梱包物をよりコンパクト化できる。
【００１１】
また、請求項２に記載の考案は、前記ソファは、複数人掛け用の組立式ソファで、前記ソファ用クッション梱包物は、前記ソファに掛ける人数分の一人分ソファ用クッション梱包物からなり、前記圧縮袋は、前記ソファに掛ける人数分の一人分圧縮袋を有し、前記ソファ用クッションは、それぞれが前記ソファに掛ける人数分の一人分座部クッションと一人分背もたれ部クッションとを少なくとも有し、前記各一人分ソファ用クッション梱包物は、対応する一人分圧縮袋に、少なくとも、対応する一人分座部クッションと対応する一人分背もたれ部クッションとを、真空パックを含む圧縮状態で封入したものであることを特徴とする請求項１に記載のソファ用クッション梱包物である。
【００１２】
組立式ソファとは、分解・梱包状態で出荷されたソファを、使用者（購入者）が組み立てる方式のソファをいう。
組立式ソファの構成任意である。例えば、座部本体、背もたれ部本体、座部クッションおよび背もたれ部クッションを有したものなどでもよい。その他、これらに左右一対のひじ掛け部や、ひじ掛け部クッションを加えたものでもよい。
組立式ソファのサイズ（使用人数）は、複数人掛けであれば任意である。例えば、２人掛け、３人掛け、または、４人掛け以上でもよい。
【００１３】
一人分ソファ用クッション梱包物とは、ソファ用クッション梱包物を、ソファに掛ける人数分で分割したものである。例えば、組立式ソファが３人掛けの場合、一人分ソファ用クッション梱包物は３つとなる。
一人分圧縮袋とは、圧縮袋をソファに掛ける人数分で分割した一人分のものである。
一人分圧縮袋に収納される一人分のソファ用クッションとしては、対応する一人分座部クッションと、対応する一人分背もたれ部クッションとを少なくとも有していれば任意である。例えば、ひじ掛け部クッション、腰当てクッションなどを含んでもよい。
【００１４】
ここでいう「一人分座部クッション」および「一人分背もたれ部クッション」とは、２人掛け以上の組立式ソファの座部クッションおよび背もたれ部クッションを、各々その長さ方向に人数分で分割することで得られたものをいう。この場合、それぞれの人数で等分割したものでも、そうでないものでもよい。
ここで、一人分ソファ用クッション梱包物を構成する“対応する一人分圧縮袋”と、“対応する一人分座部クッション”と、“対応する一人分背もたれ部クッション”とについて具体的に説明する。
【００１５】
例えば、ソファ用クッション梱包物が２つの一人分ソファ用クッション梱包物からなる場合には、（１）１つ目の一人分ソファ用クッション梱包物として、左部分の一人分圧縮袋に、ソファ用クッションの左部分をそれぞれ構成する左側の一人分座部クッションと、左側の一人分背もたれ部クッションとを、少なくとも封入したものが採用され、（２）２つ目の一人分ソファ用クッション梱包物として、右部分の一人分圧縮袋に、ソファ用クッションの右部分をそれぞれ構成する右側の一人分座部クッションと、右側の一人分背もたれ部クッションとを、少なくとも封入したものが採用される、ということを意味する。
これらの座部クッションおよび背もたれ部クッションの形状は、それぞれ任意である。
【考案の効果】
【００１６】
請求項１に記載の本考案によれば、ソファ用クッションを圧縮袋に収納し、これを真空パックを含む圧縮状態で梱包（封入）したため、ソファ用クッションの嵩が減ってソファ用クッション梱包物をコンパクト化できる。
これにより、ソファ用クッション梱包物の輸送時および保管時のスペースが小さくなり、それに費やされる輸送コストおよび保管コストの削減も図ることができる。
【００１７】
請求項２に記載の本考案によれば、組立ソファに掛ける人数分でソファ用クッション梱包物を分割した一人分ソファ用クッション梱包物として、対応する一人分圧縮袋に、少なくとも、対応する一人分座部クッションと、対応する一人分背もたれ部クッションとを、真空パックを含む圧縮状態で封入したものを採用したため、ソファ組立時、左，右側等の各クッションの配置違いをしにくくなり、その分だけソファの組み立てが容易となり、組立時間も短縮することができる。
【図面の簡単な説明】
【００１８】
【図１】本考案の実施例１に係るソファ用クッション梱包物（２人掛けソファ用）の斜視図である。
【図２】本考案の実施例１に係るソファ用クッション梱包物により梱包されるソファ用クッションの使用状態を示す斜視図である。
【図３】本考案の実施例１に係るソファ用クッション梱包物の梱包作業状態を示す斜視図である。
【図４】本考案の実施例１に係る別のソファ用クッション梱包物（単品クッション用）の斜視図である。
【図５】本考案の実施例１に係る別のソファ用クッション梱包物の梱包作業状態を示す斜視図である。
【図６】本考案の実施例１に係るソファ用クッション梱包物をロール状に梱包する作業状態を示す斜視図である。
【図７】本考案の実施例２に係るソファ用クッション梱包物（３人掛けソファ用）により梱包されるソファ用クッションの使用状態を示す斜視図である。
【図８】本考案の実施例２に係るソファ用クッション梱包物の斜視図である。
【図９】本考案の実施例２に係るソファ用クッション梱包物の梱包作業状態を示す斜視図である。
【考案を実施するための形態】
【００１９】
以下、本考案の実施例を具体的に説明する。
【実施例】
【００２０】
図１および図２において、１０は本考案の実施例１に係るソファ用クッション梱包物で、このソファ用クッション梱包物１０は、２人掛けの組立式ソファ（ソファ）１１の梱包時に利用される。
【００２１】
まず、図２を参照して、組立式ソファ１１について説明する。
組立式ソファ１１は床直置きタイプのもので、横長な座部本体１２と、横長な背もたれ部本体１３と、左，右側座部クッション（ソファ用クッション、一人分座部クッション）１４，１５と、左，右側背もたれ部クッション（ソファ用クッション、一人分背もたれ部クッション）１６，１７とを備えている。
この組立式ソファ１１は、図示しない段ボールに箱詰めされて工場出荷され、これを受け取ったユーザーが、この箱から各部品（ソファ用クッション梱包物１０を含む）を取り出し、連結金具やボルトナットなどを使用して組み立てる。
【００２２】
次に、図１を参照して、ソファ用クッション梱包物１０を具体的に説明する。
ソファ用クッション梱包物１０は、左側ソファ用クッション梱包物（一人分ソファ用クッション梱包物）１０Ａと、右側ソファ用クッション梱包物（一人分ソファ用クッション梱包物）１０Ｂとからなる。
なお、左，右側ソファ用クッション梱包物１０Ａ，１０Ｂは同一のものであるため、ここでは左側ソファ用クッション梱包物１０Ａのみを説明し、右側ソファ用クッション梱包物１０Ｂの説明は省略する。
【００２３】
図１および図３に示すように、左側ソファ用クッション梱包物１０Ａは、真空パックされた偏平な矩形板状のもので、左側座部クッション１４と、左側背もたれ部クッション１６と、ポリ塩化ビニル製の大判で矩形状の左側圧縮袋（圧縮袋、一人分圧縮袋）１８とを有している。
梱包時には、まず左側座部クッション１４と、左側背もたれ部クッション１６とを重ね合わせ、これらを左側圧縮袋１８の内部空間に押し込む。その後、図示しない真空パック装置を利用して左側圧縮袋１８の内部空気を吸引し、この状態を維持しながらこの左側圧縮袋１８の開口部１８ａを熱融着したものである（図１を参照）。
なお、図１中の符号１９は右側圧縮袋、符号１９ａはその開口部である。
【００２４】
このように、左，右側ソファ用クッション梱包物１０Ａ，１０Ｂは、それぞれ対応する左，右側座部クッション１４，１５と、左，右側背もたれ部クッション１６，１７とを、対応する左，右側圧縮袋１８，１９にそれぞれ収納し、これらを真空パック状態で圧縮梱包するようにしている。そのため、各クッション１４〜１７の嵩が減って左，右側ソファ用クッション梱包物１０Ａ，１０Ｂ、ひいてはソファ用クッション梱包物１０のコンパクト化を図ることができる。
その結果、ソファ用クッション梱包物１０の輸送時および保管時のスペースが小さくなり、それに費やされる輸送コストおよび保管コストの削減も図ることができる。
【００２５】
また、図４および図５に示すように、上述した複数のクッション１４〜１７を収納するソファ用クッション梱包物１０に代えて、単品のクッションを圧縮袋に真空パックしたものを採用してもよい。例えば、生地の破れや汚れ、デザインの飽きなどを理由に、左側背もたれ部クッション１６のみを交換する際には、交換用のソファ用クッション梱包物１０Ｃを使用してもよい。
【００２６】
この交換用のソファ用クッション梱包物１０Ｃは、別の左側背もたれ部クッション（ソファ用クッション）１６Ａと、これを収納する別の圧縮袋１８Ａとを有している。
その梱包時には、別の圧縮袋１６Ａに交換用の左側背もたれ部クッション１６Ａを収納し（図５を参照）、その後、図示しない真空パック装置により袋内の空気を吸引し、この吸引状態で袋開口部１８ｂを熱融着する（図４を参照）。
【００２７】
このように、ソファ用クッション梱包物１０は、各種ソファ用クッションの単品梱包物としても利用することができる。
また、図６に示すように、この扁平な矩形板状の左側ソファ用クッション梱包物１０Ａは、場合によっては、これを丸めてロール状の左側ソファ用クッション梱包物１０Ｄとして出荷することもできる。
【００２８】
次に、図７〜図９を参照して、本考案の実施例２に係るソファ用クッション梱包物について説明する。
図７および図８に示すように、実施例２のソファ用クッション梱包物１０Ｘは、３人掛けの組立式ソファ（ソファ）１１Ａの梱包時に利用されるものである。
図８に示すように、３人掛けの組立式ソファ１１Ａは、２人掛け用の組立式ソファ１１より横長な座部本体１２Ａと、同様に横長な背もたれ部本体１３Ａと、左，右側ひじ掛け部３０，３１と、左，右側座部クッション（ソファ用クッション、一人分座部クッション）３２，３３と、左，右側背もたれ部クッション（ソファ用クッション、一人分背もたれ部クッション）３４，３５と、中央側座部クッション（ソファ用クッション、一人分座部クッション）３６と、中央側背もたれ部クッション（ソファ用クッション、一人分背もたれ部クッション）３７と、左，右側ひじ掛け部クッション（ソファ用クッション）３８，３９とを備えたものである。
【００２９】
図７に示すように、このソファ用クッション梱包物１０Ｘの特徴は、左側ソファ用クッション梱包物（一人分ソファ用クッション梱包物）４０と、中央側ソファ用クッション梱包物（一人分ソファ用クッション梱包物）４１と、右側ソファ用クッション梱包物（一人分ソファ用クッション梱包物）４２とを有している点である。
【００３０】
図７および図８に示すように、このうちの左側ソファ用クッション梱包物４０は、真空パックされた偏平な矩形板状のもので、左側部が平行カットされた左側座部クッション３２と、左側部が平行に突出し、かつ左側ひじ掛け部３０の基端部の形状に合わせて、左下コーナー部が円弧状に切欠された左側背もたれ部クッション３４と、短冊状の薄肉な左側ひじ掛け部３８と、矩形状の左側圧縮袋（一人分圧縮袋）４３とを有している。
梱包時には、まず左側座部クッション３２と、左側ひじ掛け部３８と、左側背もたれ部クッション３４とを順次重ね合わせ、これらを左側圧縮袋４３の内部空間に押し込む（図９を参照）。その後、図示しない真空パック装置を利用して、これらを真空パックする（図７を参照）。
【００３１】
また、右側ソファ用クッション梱包物４２は、真空パックされた偏平な矩形板状のもので、右側部が平行カットされた右側座部クッション３３と、右側部が平行に突出し、かつ右側ひじ掛け部３９の基端部の形状に合わせて、右下コーナー部が円弧状に切欠された右側背もたれ部クッション３５と、短冊状の薄肉な右側ひじ掛け部３９と、矩形状の右側圧縮袋（一人分圧縮袋）４４とを有している。
梱包時には、まず右側座部クッション３３と、右側ひじ掛け部３９と、右側背もたれ部クッション３５とを順次重ね合わせ、これらを右側圧縮袋４４の内部空間に押し込んだ後、図示しない真空パック装置を利用し、これらを真空パックする（図７を参照）。
【００３２】
さらに、中央側ソファ用クッション梱包物４１は、真空パックされた偏平な矩形板状のもので、左，右側座部クッション３２，３３に比べて幅狭な中央側座部クッション３６と、同じく幅狭な中央側背もたれ部クッション３７と、矩形状の中央側圧縮袋（圧縮袋、一人分圧縮袋）４５とを有している。
梱包時には、まず中央側座部クッション３６と、中央側背もたれ部クッション３７とを重ね合わせ、これらを中央側圧縮袋４５の内部空間に押し込んだ後、図示しない真空パック装置を利用し、これらを真空パックする（図７を参照）
【００３３】
このように、ソファ用クッション梱包物１０Ｘとして、左，中央，右側ソファ用クッション梱包物４０〜４２からなるものを採用したため、ソファ組立時、左側の各クッション３２，３４，３８と、中央側の各クッション３６，３７と、右側の各クッション３３，３５，３９との配置違いが発生しにくくなり、その分だけソファ１０Ｘの組み立てが容易となり、組立時間も短縮することができる。
その他の構成、作用および効果は、実施例１から推測可能な程度であるため、説明を省略する。
【産業上の利用可能性】
【００３４】
本考案は、各種のソファに使用されるソファ用クッション梱包物の技術として有用である。
【符号の説明】
【００３５】
１０，１０Ｃ，１０Ｄ，１０Ｘ  ソファ用クッション梱包物
１０Ａ  左側ソファ用クッション梱包物（一人分ソファ用クッション梱包物）
１０Ｂ  右側ソファ用クッション梱包物（一人分ソファ用クッション梱包物）
１１，１１Ａ  組立式ソファ（ソファ）
１４，１５  左，右側座部クッション（ソファ用クッション、一人分座部クッション）
１６，１７  左，右側背もたれ部クッション（ソファ用クッション、一人分背もたれ部クッション）
１６Ａ  左側背もたれ部クッション
１８  左側圧縮袋（圧縮袋、一人分圧縮袋）
１８Ａ  別の圧縮袋
１９  右側圧縮袋（圧縮袋、一人分圧縮袋）
３２，３３  左，右側座部クッション（ソファ用クッション、一人分座部クッション）
３４，３５  左，右側背もたれ部クッション（ソファ用クッション、一人分背もたれ部クッション）
３６  中央側座部クッション（ソファ用クッション、一人分座部クッション）
３７  中央側背もたれ部クッション（ソファ用クッション、一人分背もたれ部クッション）
３８，３９  左，右側ひじ掛け部クッション（ソファ用クッション）
４０  左側ソファ用クッション梱包物（一人分ソファ用クッション梱包物）
４１  中央側ソファ用クッション梱包物（一人分ソファ用クッション梱包物）
４２  右側ソファ用クッション梱包物（一人分ソファ用クッション梱包物）
４３  左側圧縮袋（圧縮袋、一人分圧縮袋）
４４  右側圧縮袋（圧縮袋、一人分圧縮袋）
４５  中央側圧縮袋（圧縮袋、一人分圧縮袋）
【図１】
0003225716.tif 000003
【図２】
0003225716.tif 000004
【図３】
0003225716.tif 000005
【図４】
0003225716.tif 000006
【図５】
0003225716.tif 000007
【図６】
0003225716.tif 000008
【図７】
0003225716.tif 000009
【図８】
0003225716.tif 000010
【図９】
0003225716.tif 000011